(57)【要約】【課題】バイノーラル・マイクやイヤホンなどの挿耳装置を提供する。【解決手段】挿耳装置３００は、マイクロフォンやイヤホンなど人の耳（外耳道）に挿入して用いられるが、ほぼ円柱形状の挿耳装置本体部３１０と、挿耳装置本胃体部３１０の内側端面から突設した円筒状の内側挿入部３２０を備えている。挿耳装置本体部３１０は、外耳道の第１のカーブより内部に挿入される。後述するように、着用した際には、挿耳装置本体部３１０の外側端面は、耳甲介腔とほぼ同じ面となる。また、内側挿入部３２０は、挿耳装置本体部３１０は、外耳道の第１カーブより内側に、外耳道に沿うように突設している。【選択図】  図６
2019057953.tif 000002
【特許請求の範囲】
【請求項１】
耳甲介腔とほぼ同じ面となる背面を有する本体部と、
前記本体部の前面に対して所定の傾斜をもって突設する外耳道挿入部と、
前記本体部の背面側に受音面を有するマイクロフォン・ユニットと、
を具備する挿耳装置。
【請求項２】
前記外耳道挿入部は、前記本体部の前面中心又は前面中心から前方にオフセットした位置に配設される、
請求項１に記載の挿耳装置。
【請求項３】
前記外耳道挿入部は、前記本体部の中心線に対し所定の傾斜角度だけ後方に傾斜して配設される、
請求項２に記載の挿耳装置。
【請求項４】
前記外耳道挿入部に取り付けられたイヤ・ピースをさらに備える、
請求項３に記載の挿耳装置。
【請求項５】
前記イヤ・ピースの端面は、前記所定の傾斜角度に応じて、前記本体部の前面と平行となるように斜めにカットされている、
請求項４に記載の挿耳装置。
【請求項６】
前記本体部の背面から少なくとも一部がはみ出る遮蔽部をさらに備える、
請求項１乃至５のいずれかに記載の挿耳装置。
【請求項７】
前記遮蔽部は、前記受音部と面一となる、
請求項６に記載の挿耳装置。
【請求項８】
前記マイクロフォン・ユニットで収音された音声信号を外部に伝送するケーブルが、前記受音面の逆側から前記本体部の内部又は前記本体部と前記マイクロフォン・ユニットの隙間を通って、前記遮蔽部に穿設された出口穴を貫挿して外耳道の外に排出される、
請求項６又は７のいずれかに記載の挿耳装置。
【請求項９】
前記出口穴は、前記受音面の中心を通過する水平線よりも下に配設される、
請求項８に記載の挿耳装置。
【請求項１０】
前記本体部内に、ドライバー・ユニットを備え、
前記外耳道挿入部は、音導管を有する、
請求項１乃至９のいずれかに記載の挿耳装置。
【請求項１１】
前記本体部の背面から少なくとも一部がはみ出るストッパーをさらに備える、
請求項１０に記載の挿耳装置。
【請求項１２】
前記外耳道挿入部に、ドライバー・ユニットを備える、
請求項１乃至９のいずれかに記載の挿耳装置。
【請求項１３】
前記ドライバー・ユニットは前記外耳道挿入部の先端に配設される、
請求項１２に記載の挿耳装置。
【請求項１４】
前記マイクロフォン・ユニットで収音された音声信号を外部に伝送し又は前記ドライバー・ユニットへ入力する音声信号を伝送するケーブルが、前記受音面の中心を通過する水平線よりも下に配設された出入口穴を介して挿通される、
請求項１０乃至１３のいずれかに記載の挿耳装置。
【発明の詳細な説明】
【技術分野】
【０００１】
本明細書で開示する技術は、バイノーラル・マイクやイヤホンなど人の耳に装着して用いられる挿耳装置に関する。
【背景技術】
【０００２】
収音方式の中でも、人間又はダミーヘッドの両耳付近に取り付けたマイクロフォンによって音を収録する録音方法は、一般に、「バイノーラル録音」と呼ばれる。バイノーラル録音の主な利点として、その録音した場所の音空間情報を同時に収録できることが挙げられる。バイノーラル録音によって得られた音声信号をヘッドフォンで再生すると、あたかも録音した環境で音を聞いているかのような効果を与えることができる。バイノーラル録音のかかる効果は、両耳付近、特に外耳道入り口付近で音を収録することによって、人間の鼓膜に届く音に非常に近い音響特性を持った音声信号が得られることに依拠する。
【０００３】
音源（例えば、スピーカーや楽器）から人間の鼓膜に音が届くまでに、さまざまな物体の反射や回折によってその音色が変化する。その中でも、聴取者の頭や胴体、耳介の影響は、人間が音の到来方向を知覚する手掛かりを与える。自由空間において、音源から両耳鼓膜までの音の伝達特性を表すものは、頭部伝達関数（Ｈｅａｄ−ｒｅｌａｔｅｄ  ｔｒａｎｓｆｅｒ  ｆｕｎｃｔｉｏｎ：ＨＲＴＦ）と呼ばれている。頭部伝達関数を一度データベース化しておけば、逐一バイノーラル・マイクをユーザーの両耳に装着して録音しなくても、頭部伝達関数に基づく信号処理によってヘッドフォン再生での音の３次元表現が可能である。しかしながら、頭部伝達関数を測定する場合にも、バイノーラル・マイクが必要となる。
【０００４】
研究者などが頭部伝達関数を測定する場合、印象材を外耳道内に挿入し、外耳道入口から受音面が見えるような位置にマイクロフォンを固定することが、一般に行なわれている。この測定方法の方法における１つ目の利点は、個人の外耳道形状にフィットしたバイノーラル・マイクロフォンを作成できるため、常に同じ位置にマイクロフォンが固定され、時間の経過に伴うマイクロフォンの位置ずれや、マイクロフォンの付け外し前後の位置ずれが起こり難いという点にある。特に、耳介内の耳甲介腔での共鳴を正確に反映させるため、印象材やマイクロフォンが外耳道から耳甲介腔に突き出す部分を最小に抑える必要がある（例えば、非特許文献１を参照のこと）。もし印象材やマイクロフォンが耳甲介腔を埋めてしまうと、耳甲介腔で起こる共鳴を阻害し、正確な定位、自然な定位や音色を再現することができなくなる可能性がある。印象材を用いてバイノーラル・マイクロフォンを作る場合、個人の外耳道形状に合わせてこれらの注意点を遵守することで、再現性のあるバイノーラル・マイクロフォンにすることができる。
【０００５】
印象材を使ってマイクロフォンを外耳道内に固定して頭部伝達関数を測定するもう１つの利点として、外部の音が外耳道内に侵入することを阻むため、外耳道内での共鳴が起こらないという点がある。外耳道内での共鳴は個人差が大きく、測定被験者以外が聴取した際の定位に悪影響を及ぼす可能性が高くなる。このような録音方式は「ブロック方式」と呼ばれており、頭部伝達関数の測定に一般的に用いられている方法である。
【０００６】
しかしながら、前述したような方法では、録音の際マイクロフォンを装着する着用者が変わる度に、逐一その着用者の外耳道に印象材を埋め込む必要がある。この作業は、マイクロフォンに不要な損傷を与えてしまうとともに、着用者や作業者の負担になり、着用者の耳の安全上でも問題がある。
【０００７】
他方、インナーイヤー型よりも耳の穴に深く差し込んで使用するカナル型イヤホン装置が広く知られている。例えば、ハウジングの中心から外れた位置から斜めに音導管を配置することにより、耳甲介腔にハウジングを収めた上で、外耳道入口まで音導管を配置するイヤホン装置について提案がなされている（例えば、特許文献１を参照のこと）。しかしながら、この種のイヤホン装置は、外耳道の第１カーブの手前までしか音導管を挿入することができない。また、比較的軟質である耳珠の付け根部分にイヤ・ピースを挿入するために、十分な密閉効果を得ることができない。
【発明の概要】
【発明が解決しようとする課題】
【０００８】
本明細書で開示する技術の目的は、バイノーラル・マイクやイヤホンなど人の耳に装着して用いられる優れた挿耳装置を提供することにある。
【０００９】
本明細書で開示する技術のさらなる目的は、ほとんどすべての着用者に対し、個人差に関係なく、外耳道の第１カーブよりも内部まで挿入することができる、優れた挿耳装置を提供することにある。
【課題を解決するための手段】
【００１０】
本願は、上記課題を参酌してなされたものであり、請求項１に記載の技術は、
外耳道の第１カーブより内部に挿入され、耳甲介腔とほぼ同じ面となる背面を有する本体部と、
前記本体部の前面から外耳道の奥に向かって突設した外耳道挿入部と、
を具備する挿耳装置である。
【００１１】
本願の請求項２に記載の技術によれば、請求項１に記載の挿耳装置の前記外耳道挿入部は、前記本体部の前面中心又は前面中心から前方にオフセットした位置に配設されている。
【００１２】
本願の請求項３に記載の技術によれば、請求項２に記載の挿耳装置の前記外耳道挿入部は、前記本体部の中心線に対し所定の傾斜角度だけ後方に傾斜して配設されている。
【００１３】
本願の請求項４に記載の技術によれば、請求項３に記載の挿耳装置は、前記外耳道挿入部に取り付けられたイヤ・ピースをさらに備えている。
【００１４】
本願の請求項５に記載の技術によれば、請求項４に記載の挿耳装置の前記イヤ・ピースの端面は、前記所定の傾斜角度に応じて、前記本体部の前面と平行となるように斜めにカットされている。
【００１５】
本願の請求項６に記載の技術によれば、請求項１に記載の挿耳装置は、前記本体部内に、マイクロフォン・ユニットを備えている。
【００１６】
本願の請求項７に記載の技術によれば、請求項６に記載の挿耳装置の前記マイクロフォン・ユニットの受音面は、前記本体部の背面側で外界に接している。
【００１７】
本願の請求項８に記載の技術によれば、請求項７に記載の挿耳装置は、前記本体部の背面から少なくとも一部がはみ出る遮蔽部をさらに備えている。
【００１８】
本願の請求項９に記載の技術によれば、請求項８に記載の挿耳装置において、前記遮蔽部は、前記受音部と面一となっている。
【００１９】
本願の請求項１０に記載の技術によれば、請求項８に記載の挿耳装置において、前記マイクロフォン・ユニットで収音された音声信号を外部に伝送するケーブルが、前記受音面の逆側から前記本体部の内部又は前記本体部と前記マイクロフォン・ユニットの隙間を通って、前記遮蔽部に穿設された出口穴を貫挿して外耳道の外に排出されるようになっている。
【００２０】
本願の請求項１１に記載の技術によれば、請求項１０に記載の挿耳装置において、前記出口穴は、前記受音面の中心を通過する水平線よりも下に配設されている。
【００２１】
本願の請求項１２に記載の技術によれば、請求項１に記載の挿耳装置は、前記本体部内に、ドライバー・ユニットを備えている。そして、前記外耳道挿入部は、音導管を有している。
【００２２】
本願の請求項１３に記載の技術によれば、請求項１２に記載の挿耳装置は、前記本体部の背面から少なくとも一部がはみ出るストッパーをさらに備えている。
【００２３】
本願の請求項１４に記載の技術によれば、請求項１に記載の挿耳装置は、前記外耳道挿入部に、ドライバー・ユニットを備えている。
【００２４】
本願の請求項１５に記載の技術によれば、請求項１に記載の挿耳装置は、マイクロフォン・ユニット及びドライバー・ユニットをさらに備えている。
【００２５】
本願の請求項１６に記載の技術によれば、請求項１５に記載の挿耳装置の前記マイクロフォン・ユニットは前記本体部内に配設され、前記ドライバー・ユニットは前記外耳道挿入部の先端に配設されている。
【００２６】
本願の請求項１７に記載の技術によれば、請求項１５に記載の挿耳装置の前記本体内には、外耳道の内側から順に、前記ドライバー・ユニット、前記マイクロフォン・ユニットが配置されている。そして、前記外耳道挿入部は、音導管を有するように構成されている。
【００２７】
本願の請求項１８に記載の技術によれば、請求項１５に記載の挿耳装置の前記マイクロフォン・ユニットの受音面は、前記本体部の背面側で外界に接している。
【００２８】
本願の請求項１９に記載の技術によれば、請求項１５に記載の挿耳装置は、前記本体部の背面から少なくとも一部がはみ出る遮蔽部をさらに備えている。
【００２９】
本願の請求項２０に記載の技術によれば、請求項１５に記載の挿耳装置は、前記マイクロフォン・ユニットで収音された音声信号を外部に伝送し又は前記ドライバー・ユニットへ入力する音声信号を伝送するケーブルが、前記受音面の中心を通過する水平線よりも下に配設された出入口穴を介して挿通されている。
【発明の効果】
【００３０】
本明細書で開示する技術によれば、ほとんどすべての着用者に対し、個人差に関係なく、外耳道の第１カーブより内部に挿入して用いることができる、優れた挿耳装置を提供することができる。
【００３１】
本明細書で開示する技術を適用した挿耳装置は、ほとんどすべての着用者が共通に用いて、外耳道の第１カーブより内部に挿入して着用することができる。この挿耳装置をバイノーラル・マイクロフォンとして用いた場合、外耳道から耳甲介腔に突き出す部分を最小に抑えることができるので、耳介内の耳甲介腔での共鳴を正確に反映させることが可能であり、再現性のあるバイノーラル・マイクロフォンとなる。また、この挿耳装置をイヤホンとして用いた場合、音導管を外耳道の第１カーブより内部に挿入して、鼓膜のより近くまで音響を導くことができるので、低消費で駆動し、良好な音質の音声を提供することができる。
【００３２】
なお、本明細書に記載された効果は、あくまでも例示であり、本発明の効果はこれに限定されるものではない。また、本発明が、上記の効果以外に、さらに付加的な効果を奏する場合もある。
【００３３】
本明細書で開示する技術のさらに他の目的、特徴や利点は、後述する実施形態や添付する図面に基づくより詳細な説明によって明らかになるであろう。
【図面の簡単な説明】
【００３４】
【図１】図１は、人間の頭部の横断面図により左耳の外耳道の形状を示した図である。
【図２】図２は、人間の左耳の外観形状を示した図である。
【図３】図３は、本明細書で開示する技術を適用した挿耳装置３００の構成を概略的に示した図である。
【図４】図４は、挿耳装置３００の変形例（外耳道挿入部３２０の位置にオフセットを与えた例）を示した図である。
【図５】図５は、挿耳装置３００の変形例（外耳道挿入部３２０の位置にオフセットを変えた例）を示した図である。
【図６】図６は、挿耳装置３００の外耳道挿入部３２０に、端面を斜めにカットしたイヤ・ピース６００を取り付けている様子を示した図である。
【図７】図７は、挿耳装置３００の外耳道挿入部３２０に、端面を真直ぐカットしたイヤ・ピース７００を取り付けている様を示した図である
【図８】図８は、本明細書で開示する技術を適用したバイノーラル・マイクロフォン８００をＸ−Ｙ平面から見た断面図である。
【図９】図９は、バイノーラル・マイクロフォン８００をＸ−Ｚ平面から見た背面図である。
【図１０】図１０は、バイノーラル・マイクロフォン８００をＹ−Ｚ平面から見た断面図である。
【図１１】図１１は、バイノーラル・マイクロフォン８００（変形例）をＸ−Ｙ平面から見た断面図である。
【図１２】図１２は、バイノーラル・マイクロフォン８００（変形例）をＸ−Ｚ平面から見た背面図である。
【図１３】図１３は、バイノーラル・マイクロフォン８００（変形例）をＹ−Ｚ平面から見た断面図である。
【図１４】図１４は、本明細書で開示する技術を適用したイヤホン１４００をＸ−Ｙ平面から見た断面図である。
【図１５】図１５は、イヤホン１４００をＸ−Ｚ平面から見た背面図である。
【図１６】図１６は、イヤホン１４００をＹ−Ｚ平面から見た断面図である。
【図１７】図１７は、背面に取っ手１７０１を有するイヤホン１４００（変形例）を示した図である。
【図１８】図１８は、イヤホン１４００（変形例）をＸ−Ｙ平面から見た断面図である。
【図１９】図１９は、イヤホン１４００（変形例）をＹ−Ｚ平面から見た断面図である。
【図２０】図２０は、バイノーラル・マイクロフォンとイヤホンを組み合わせた挿耳装置２０００をＸ−Ｙ平面から見た断面図である。
【図２１】図２１は、挿耳装置２０００をＸ−Ｚ平面から見た背面である。
【図２２】図２２は、挿耳装置２０００をＹ−Ｚ平面から見た断面図である。
【図２３】図２３は、挿耳装置２０００（変形例）をＸ−Ｙ平面から見た断面図である。
【図２４】図２４は、挿耳装置２０００（変形例）をＹ−Ｚ平面から見た断面図である。
【図２５】図２５は、図６の変形例（イヤ・ピースの変形例）を示した図である。
【発明を実施するための形態】
【００３５】
以下、図面を参照しながら本明細書で開示する技術の実施形態について詳細に説明する。
【００３６】
図１には、人間の頭部の横断面図により左耳の外耳道１００の形状を示している。また、図２には、人間の左耳（耳介２００）の外観形状を示している。また、図１には、図３（後述）に示す挿耳装置３００を外耳道１００に挿入している様子を併せて示している。
【００３７】
外耳道１００は、外耳道入口１０１から始まり鼓膜１０２の内側で終了する穴であり、一般的におよそ２５〜３０ミリメートルの長さがある。外耳道１００の外側には、耳介軟骨の形によって生じる複雑な凹凸形状を持つ耳介２００がある。耳介２００には、収音と音源の方向を特定する働きがある。また、外耳道１００は、片方が開き、片方が閉じた管の構造をなしているので、耳介２００で収音された音は外耳道１００内で共鳴してさらに大きくなる。
【００３８】
耳介２００の構造を大まかに言うと、図２に示すように、耳介２００の外側から順に、耳輪２１０、対耳輪２２０、耳甲介２３０、耳珠２４０がある。耳甲介２３０は、耳の中央の、最も窪んだ部分であり、耳輪根２３３を境に、上半分の耳甲介艇２３１と下半分の耳甲介腔２３２に分かれる。また、耳甲介腔２３１の耳珠２４０付近に、外耳道入口１０１がある。
【００３９】
図１に示した頭部の横断面を見ると、人間の外耳道１００の共通の特徴として、異物の混入を防ぐような、ほぼＳ字状に蛇行している。外耳道入口１０１に近い方（すなわち、鼓膜から離れた方）の曲りは第１カーブ１０３と呼ばれる。外耳道１００の入口１０１に近い方（すなわち、鼓膜から離れた）の壁面は、内在する軟骨組織により比較的柔軟な壁面からなる軟骨領域１０５である。外耳道１００の軟骨は、耳介２００の軟骨から続いている。軟骨領域は、会話やあくび、食事中に咀嚼するときなど、下あごの動きに反応して、変形並びに移動する。
【００４０】
また、外耳道１００の奥に進むと、中間付近で壁面が鼓膜に近接する骨の領域に遷移する。骨の領域１０６は、内在する骨組織により強固である。骨の領域１０６における皮膚は、軟骨領域と比較して薄く、且つ接触又は圧力に対して敏感である。軟骨領域１０５と骨の領域１０６の境界付近で、外耳道１００はさらに大きく湾曲しており、これは外耳道１００の第２カーブ１０４と呼ばれる。第２カーブ１０４の大きさは、個人差により大いに異なる。
【００４１】
図３には、本明細書で開示する技術を適用した挿耳装置３００の構成を概略的に示している。但し、挿耳装置３００を人間の左耳に装着したときの前後方向をＸ軸、左右方向をＹ軸とし、図示しないが上下方向をＺ軸と定義し、図３ではＸ−Ｙ平面から見た上面図を示している。
【００４２】
挿耳装置３００は、マイクロフォンやイヤホンなど人の耳（外耳道１００）に挿入して用いられるが、ほぼ円柱形状の本体部３１０と、本体部３１０の前面（すなわち、鼓膜１０２に近い方の端面）から斜めに突設した円筒状の外耳道挿入部３２０を備えている。図１に示したように、本体部３１０は、外耳道１００の第１カーブ１０３より内部に挿入される。したがって、本体部３１０の幅Ｗは、外耳道１００の一般的な内径以下に制限される。後述するように、挿耳装置３００を耳に着用した際には、本体部３１０の背面（外耳道１００の外側を向いた端面）は、耳甲介腔２３２とほぼ同じ面となる。
【００４３】
マイクロフォン又はイヤホンなどの音声の入力又は出力に用いられる挿耳装置は、一般に、できる限り外耳道１００のより深くまで挿入した方が、よい音響特性を提供することができ有利である。挿耳装置３００を耳の穴に安定して固定するには、外耳道１００のより深くまで挿入して固定される方がよい。しかしながら、急激な第１カーブの影響で、挿耳装置を深く挿入する前に、曲がり角にぶつかってしまう。
【００４４】
挿耳装置３００がバイノーラル・マイクロフォンの場合、耳介内の耳甲介腔２３２での共鳴を正確に反映させるには、挿耳装置３００本体の背面（マイクロフォンの場合の受音面）が耳甲介腔２３２と面一になるようにして、外耳道から耳甲介腔に突き出す部分を最小に抑えることが好ましい。これと併せて、本体部３１０の前面から斜めに突設した外耳道挿入部３２０が第１カーブ１０３に対応している必要がある。
【００４５】
図３に示す例では、外耳道挿入部３２０は、本体部３１０の前面から、第１カーブ１０３より奥に向かって斜めに突設している。外耳道挿入部３２０は、細長いほぼ円柱状の外形を備えている。外耳道挿入部３２０は、Ｘ−Ｙ面内で、本体部３１０の中心線Ｃに対して所定の傾斜角度θだけ後方（マイナスＸ方向）に傾斜して配設されており、その先端は中心線Ｃから離れる方向に向いている。
【００４６】
図３に示す例では、外耳道挿入部３２０は、本体部３１０の前面中心に配設されている。あるいは、図４に示すように、外耳道挿入部３２０を、本体部３１０の前面中心から前方（ｘ方向）すなわち、外耳道挿入部３２０が傾く方向とは逆方向に所定のオフセット量Ｄだけオフセットした位置に配設してもよい。これにより、図１に示したように、挿耳装置３００の本体部３１０の背面（マイクロフォンの場合の受音面）は耳甲介腔２３２からはみ出さない。したがって、挿耳装置３００をバイノーラル・マイクロフォンとして使用する場合には、耳甲介腔２３２における共鳴の効果を本体部３１０の受音面が阻害することなく、収録することが可能になる。
【００４７】
また、外耳道挿入部３２０は、第１カーブ１０３に対応するように、本体部３１０の中心線Ｃに対して所定の傾斜角度θだけ後方（マイナスＸ方向）に傾斜して、奥に向かって突設している。したがって、外耳道挿入部３２０は、第１カーブ１０３を曲がり切り、その先端部は第２カーブ１０４の手前付近まで到達する。挿耳装置３００をイヤホンとして使用し、外耳道挿入部３２０を音導管として用いる場合には、第２カーブ１０４の手前（すなわち、鼓膜１０２のより近く）まで音を導くことができるので、より低い駆動電力で高音質の音声を届けることができる。
【００４８】
なお、図５に示すように、外耳道挿入部３２０を、本体部３１０の前面中心から後方（マイナスｘ方向）すなわち、外耳道挿入部３２０が傾く方向にオフセットした位置に同じ傾斜角θで配設した場合、外耳道挿入部３２０の先端が第１カーブ１０３の内側の壁面とぶつかってしまうため（あるいは、オフセットのために出っ張ってしまった本体部３１０が第１カーブ１０３の外側の壁面にぶつかってしまうため）、第１カーブ１０３を曲がり切るのに不利となるので、好ましくない。
【００４９】
図６には、図３に示した挿耳装置３００の外耳道挿入部３２０に、イヤ・ピース６００を取り付けている様子を示している。挿耳装置３００を人間の耳に装着したときに、イヤ・ピース６００は、外耳道１００に合致する形状となる。イヤ・ピース６００は、シリコンゴムやウレタン系樹脂、アクリル系樹脂などの弾性材料により形成され、その形状が自由に変形し得るように構成されているので、外耳道１００に挿入されると、外耳道１００の内壁に密着し、ユーザーの耳に対して密着した装着した状態を維持できるとともに、柔らかな装着感を提供する。外耳道挿入部３２０は、このイヤ・ピース６００を介して外耳道１００に挿入され、その先端部分は第２カーブ１０４の手前まで到達する。付言すれば、耳珠２４０よりも比較的硬い、外耳道１００の軟骨領域１０５でイヤ・ピース６００が外耳道１００を塞ぐことができるので、カナル型イヤホン（例えば、特許文献１を参照のこと）よりも安定で且つ外耳道１００が密閉された装着が可能となる。なお、イヤ・ピース６００を取り付ける場合には、外耳道挿入部３２０の外周には、イヤ・ピース６００を固定するための取付溝３２１が形設される。
【００５０】
外耳道挿入部３２０は、Ｘ−Ｙ面内で、本体部３１０の中心線Ｃに対して所定の傾斜角度θだけ後方（マイナスＸ方向）に傾斜して配設されている（前述）。したがって、この傾斜角度θに応じて、イヤ・ピース６００の端面６０１は、本体部３１０の前面と並行となるように、斜めにカットされる。これにより、外耳道１００の壁面とイヤ・ピース６００との接触面積が増えるので、図７に示すような端面７０１を真直ぐカットしたイヤ・ピース７００よりも、安定で且つ外耳道１００が密閉された装着が可能となる。付言すれば、図２５に示すように、端面が本体部３１０を覆い隠し、且つ、本体部３１０の前面と並行となるように延長したイヤ・ピース２５００を用いることでも、図６に示した例と同様又はそれ以上の効果が得られる
【実施例１】
【００５１】
図８〜図１０には、本明細書で開示する技術を適用したバイノーラル・マイクロフォン８００の構成を概略的に示している。但し、バイノーラル・マイクロフォン８００を人間の左耳に装着したときの前後方向をＸ軸、左右方向をＹ軸とし、図示しないが上下方向をＺ軸と定義し、図８には、バイノーラル・マイクロフォン８００をＸ−Ｙ平面から見た断面図を示している。また、図９には、バイノーラル・マイクロフォン８００をＸ−Ｚ平面から見た背面図を示している。また、図１０には、バイノーラル・マイクロフォン８００をＹ−Ｚ平面から見た断面図を示している。
【００５２】
バイノーラル・マイクロフォン８００は、人の耳（外耳道１００）に挿入して用いられるが、ほぼ円柱形状の本体部８１０と、本体部８１０の前面（すなわち、鼓膜１０２に近い方の端面）から斜めに突設した円筒状の外耳道挿入部８２０を備えている。図１に示した挿耳装置３００と同様に、本体部８１０は、外耳道１００の第１カーブ１０３より内部に挿入される。また、外耳道挿入部８２０は、本体部８１０の前面中心にて、本体部８１０の中心線Ｃに対して所定の傾斜角度θだけ後方（マイナスＸ方向）に傾斜して配設されており、その先端は中心線Ｃから離れる方向に向いている。なお、図６と同様に、バイノーラル・マイクロフォン８００は、イヤ・ピースを備え、外耳道挿入部８２０は、イヤ・ピースを介して外耳道１００に挿入され、また、イヤ・ピースを固定するための取付溝が形設される。但し、便宜上、図８並びに図１０ではイヤ・ピースや取付溝の図示を省略している。
【００５３】
本体部８１０には、マイクロフォン・ユニット８３０が組み込まれている。バイノーラル・マイクロフォン８００を人間の耳に装着したとき、収音する受音面８３１が外向きになる必要がある。このため、本実施例では、図８〜図１０に示すように、受音面８３１は、外耳道挿入部８２０とは反対側の本体部８１０の背面側で外界に接している。
【００５４】
また、本体部８１０の背面から少しでもＸＺ方向にはみ出すように遮蔽部８１１を設置する。この遮蔽部８１１は、受音面８３１と面一になる必要がある。これによって、外界から入射する音を外耳道１００から遮蔽する効果を高めることができる。逆に、遮蔽部８１１による音の遮蔽が不十分であると、外界から入射する音が外耳道１００で共鳴し、さらに反射して受音面８３１に入力される音が乱れ、正確な頭部伝達関数を測定できなくなってしまう。遮蔽部８１１は、外耳道入口１０１よりも大きなサイズを有しており、小型のバイノーラル・マイクロフォン８００が必要以上に外耳道１００の奥深くに入り込んでいかないようにするストッパーとしての役割もある。
【００５５】
マイクロフォン・ユニット８３０で収音された音声信号を外部に伝送するケーブル８３２は、シールド・ケーブルとなっている。図１０に示すように、ケーブル８３２は、受音面８３１の逆側から本体部８１０の内部又は本体部８１０とマイクロフォン・ユニット８３０の隙間を通って、遮蔽部８１１に穿設された出口穴８１２を貫挿して外耳道１００の外に排出されている。なお、マイクロフォン・ユニット８３０の背面は受音面８３１になっていることから、ケーブル８３２を接続する端子は、マイクロフォン・ユニット８３０の背面ではなく、前面（すなわち、鼓膜１０２に近い方の端面）に配設することが好ましいという点に留意されたい。図９に示すように、出口穴８１２は、受音面８３１の中心を通過する水平線８３３よりも下に配設することが好ましい。これにより、垂れ下がったケーブル８３２が受音面８３１に触れたりして、ケーブル８３２の影響で受音面８３１に入力される音が乱れる悪影響を防ぐことができる。
【００５６】
図１１〜図１３には、バイノーラル・マイクロフォン８００の変形例を示している。但し、図１１はバイノーラル・マイクロフォン８００をＸ−Ｙ平面から見た断面図、図１２はバイノーラル・マイクロフォン８００をＸ−Ｚ平面から見た背面図、図１３はバイノーラル・マイクロフォン８００をＹ−Ｚ平面から見た断面図を示している。便宜上、イヤ・ピースの図示を省略している。
【００５７】
この変形例に係るバイノーラル・マイクロフォン８００は、図１１から分かるように、外耳道挿入部８２０を、本体部８１０の前面中心から前方（ｘ方向）すなわち、外耳道挿入部８２０が傾く方向とは逆方向に所定のオフセット量Ｄだけオフセットした位置に配設している。また、図１１並びに図１２から分かるように、遮蔽部８１１は、受音面８３１のほぼ下半分にしか設置されていない。また、図１１〜図１３から分かるように、ケーブル８３２を排出する出口穴８１２は、受音面８３１の中心を通過する水平線８３３の付近に配設されている。
【００５８】
本実施例に係るバイノーラル・マイクロフォン８００のポイントを以下に示しておく。
【００５９】
（１）本体部８１０と、本体部８１０に組み込まれたマイクロフォン・ユニット８３０と、外耳道挿入部８２０と、本体部８１０の背面に配設された遮蔽部８１１を備えている。
（２）遮蔽部８１１は、受音面８３１と面一であり、本体部８１０の背面よりはみ出している部分が少なくとも一部存在する。
（３）外耳道挿入部８２０は、本体部８１０の前面に対して垂直ではなく、所定の傾斜角度で突設されている。
（４）外耳道挿入部８２０は、本体部８１０の前面中心、又は、外耳道挿入部８２０が傾く方向とは逆方向にオフセットした位置に配設される。
（５）ケーブル８３２は、ケーブル８３２は、受音面８３１の逆側から本体部８１０の内部又は本体部とマイクロフォン・ユニット８３０の隙間を通過して、受音面８３１の中心を通過する水平線８３３よりも下に穿設された出口穴８１２を貫挿して外耳道１００の外に排出される。
（６）外耳道挿入部８２０に取り付けられるイヤ・ピースの端面は、本体部８１０の前面と平行となるように、斜めにカットされる（図６を参照のこと）。
【実施例２】
【００６０】
図１４〜図１６には、本明細書で開示する技術を適用したイヤホン１４００の構成を概略的に示している。但し、イヤホン１４００を人間の左耳に装着したときの前後方向をＸ軸、左右方向をＹ軸とし、図示しないが上下方向をＺ軸と定義し、図１４には、イヤホン１４００をＸ−Ｙ平面から見た断面図を示している。また、図１５には、イヤホン１４００をＸ−Ｚ平面から見た背面図を示している。また、図１６には、イヤホン１４００をＹ−Ｚ平面から見た断面図を示している。
【００６１】
イヤホン１４００は、人の耳（外耳道１００）に挿入して用いられるが、ほぼ円柱形状の本体部１４１０と、本体部１４１０の前面（すなわち、鼓膜１０２に近い方の端面）から斜めに突設した円筒状の外耳道挿入部１４２０を備えている。図１に示した挿耳装置３００と同様に、本体部１４１０は、外耳道１００の第１カーブ１０３より内部に挿入される。また、外耳道挿入部１４２０は、本体部１４１０の前面中心にて、本体部１４１０の中心線Ｃに対して所定の傾斜角度θだけ後方（マイナスＸ方向）に傾斜して配設されており、その先端は中心線Ｃから離れる方向に向いている。なお、図６と同様に、イヤホン１４００は、イヤ・ピースを備え、外耳道挿入部１４２０は、イヤ・ピースを介して外耳道１００に挿入され、また、イヤ・ピースを固定するための取付溝が形設される。但し、便宜上、図１４並びに図１６ではイヤ・ピースや取付溝の図示を省略している。
【００６２】
本体部１４１０には、ドライバー・ユニット１４３０が組み込まれている。ドライバー・ユニット１４３０は、一般に、マグネットと、ボイス・コイルと、振動板で構成され、マグネットにより構成された磁気回路中に、ボイス・コイルを有した振動板が配置されている。ボイス・コイルに入力された音声信号に従って発生する磁界により振動板を駆動して、振動板の前方の空気に対して粗密状態を変化させることによって、音声信号に応じた音を出力する。また、外耳道挿入部１４２０は、中空円筒状の部材で、音導管を兼ねており、ドライバー・ユニット１４３０から出力される音声を外耳道１００の第２カーブ１０４の手前まで導出する。
【００６３】
イヤホン１４００の場合、収音機能を持たず、耳甲介腔２３２における共鳴の効果は不要である。したがって、本体部１４１０の背面は耳甲介腔２３２と面一となる遮蔽部８１１（図８を参照のこと）は不要である。但し、イヤホン１４００が必要以上に外耳道１００の奥深くに入り込んでいかないように、本体部１４１０の背面の少なくとも一部分を外耳道入口１０１からＸＺ方向にはみ出す形状をしたストッパー１４１１を配設する。また、ストッパー１４１１は、外耳道入口１０１を塞いで、外界から入射する音を遮る遮音の効果があり、ドライバー・ユニット１４３０から出力される音声が外界からの雑音で乱されず、音質を保つことができる。
【００６４】
また、本体部１４１０の背面は耳甲介腔２３２と面一となる平面である必要はなく、任意の形状でよいことから、例えば図１７に示すように、取っ手１７０１を本体部１４１０の背面に付けてもよい。使用者がイヤホン１４００を外耳道入口１０１へ取り付け又は取り外す際には、取っ手１７０１を掴むことで作業を円滑に行なうことができる。
【００６５】
外部の音声再生装置（図示しない）からの音声信号をドライバー・ユニット１４３０へ伝送するケーブル１４３２は、シールド・ケーブルとなっている。ドライバー・ユニット１４３０の音声出力面は、内側すなわち外耳道１００の奥の方を向いている。したがって、図１４並びに図１６に示すように、ケーブル１４３２を接続する端子はドライバー・ユニット１４３０の背面に取り付けることができる。また、イヤホン１４００は収音機能を持たず、ケーブル１４３２による音の乱れの影響を考慮する必要がない。すなわち、本体部１４１０の背面の任意の場所に入口穴１４１２を穿設して、ケーブル１４３２を本体部１４１０内に挿通させることができる。図１５に示す例では、本体部１４１０背面（ストッパー１４１１）のほぼ中央に入口穴１４１２を穿設して、本体部１４１０内にケーブル１４３２をそのままドライバー・ユニット１４３０のある場所まで引き込んでいる。また、音導管の任意の場所、例えば先端部にドライバー・ユニット１４３０を配設することで、ドライバー・ユニット１４３０のバック・キャビティー１４３１を大きくして、音質を向上させることができる。
【００６６】
図１８及び図１９には、イヤホン１４００の変形例を示している。但し、図１８はイヤホン１４００をＸ−Ｙ平面から見た断面図、図１９はイヤホン１４００をＹ−Ｚ平面から見た断面図を示している。便宜上、イヤ・ピースの図示を省略している。
【００６７】
この変形例に係るイヤホン１４００は、図１８及び図１９から分かるように、小型に構成したドライバー・ユニット１４３０を外耳道挿入部１４２０の先端に配設している。鼓膜１０２のより近くに配置できることから、より小さな出力（すなわち、低消費電力）で、高音質の音声を提供することができる。図１４〜図１６に示したような本体部１４１０にドライバー・ユニット１４３０を配設した構成例とは相違し、外耳道挿入部１４２０を音導管にする必要はない。但し、図１８及び図１９に示すように、本体部１４１０及び外耳道挿入部１４２０を空洞にして、バック・キャビティー１４３１の容量を大きくすることで、より音質を高めることができる。
【００６８】
本実施例に係るイヤホン１４００のポイントを以下に示しておく。
【００６９】
（１）本体部１４１０と、本体部に組み込まれたドライバー・ユニット１４３０と、本体部１４１０の背面に配設されたストッパー１４１１と、音導管を兼ねた筒状の外耳道挿入部１４２０を備えている。
（２）ストッパー１４１１は、任意の形状でよく、本体部１４１０の背面よりはみ出している部分が少なくとも一部存在する。
（３）音導管を兼ねた外耳道挿入部１４２０は、本体部１４１０の前面に対して垂直ではなく、所定の傾斜角度で突設されている。
（４）音導管を兼ねた外耳道挿入部１４２０は、本体部１４１０の前面中心、又は、外耳道挿入部１４２０が傾く方向とは逆方向にオフセットした位置に配設される。
（５）図１４〜図１９では図示を省略したが、外耳道挿入部１４２０に取り付けられるイヤ・ピースの端面は、本体部１４１０の前面と平行となるように、斜めにカットされる（図６を参照のこと）。
【００７０】
本実施例に係るイヤホン１４００によれば、音導管の先端が第２カーブ１０４の手前付近まで到達するので、イヤ・ピースによる密閉度が増し、外界からの雑音の遮断効果がより増大する。また、イヤ・ピースによる密閉度が増すことと、音導管が第２カーブ１０４の手前付近に届くことにより、より少ない消費電力で鼓膜１０２を振動させることが可能となる。
【実施例３】
【００７１】
図２０〜図２２には、バイノーラル・マイクロフォンとイヤホンを組み合わせた挿耳装置２０００の構成を概略的に示している。但し、挿耳装置２０００を人間の左耳に装着したときの前後方向をＸ軸、左右方向をＹ軸とし、図示しないが上下方向をＺ軸と定義し、図２０には、挿耳装置２０００をＸ−Ｙ平面から見た断面図を示している。また、図２１には、挿耳装置２０００をＸ−Ｚ平面から見た背面図を示している。また、図２２には、挿耳装置２０００をＹ−Ｚ平面から見た断面図を示している。
【００７２】
挿耳装置２０００は、本明細書で開示する技術を適用した構成を備えている。すなわち、挿耳装置２０００は、人の耳（外耳道１００）に挿入して用いられるが、ほぼ円柱形状の本体部２０１０と、本体部２０１０の前面（すなわち、鼓膜１０２に近い方の端面）から斜めに突設した円筒状の外耳道挿入部２０２０を備えている。図１に示した挿耳装置３００と同様に、本体部２０１０は、外耳道１００の第１カーブ１０３より内部に挿入される。また、外耳道挿入部２０２０は、本体部２０１０の前面中心にて、本体部２０１０の中心線Ｃに対して所定の傾斜角度θだけ後方（マイナスＸ方向）に傾斜して配設されており、その先端は中心線Ｃから離れる方向に向いている。なお、図６と同様に、挿耳装置２０００は、イヤ・ピースを備え、外耳道挿入部２０２０は、イヤ・ピースを介して外耳道１００に挿入され、また、イヤ・ピースを固定するための取付溝が形設される。但し、便宜上、図２０並びに図２２ではイヤ・ピースや取付溝の図示を省略している。
【００７３】
バイノーラル・マイクロフォンとイヤホンを組み合わせた挿耳装置２０００は、ノイズ・キャンセル式のイヤホンとして動作することができる。すなわち、外部の騒音をマイクロフォンで収音し、それとは逆位相の音を音楽など本来の音声信号に重畳してイヤホンから出力することで、騒音を軽減する（例えば、特許文献２を参照のこと）。
【００７４】
マイクロフォン・ユニット２０３０は、本体部２０１０に組み込まれている。挿耳装置２０００を人間の耳に装着したとき、収音する受音面２０３１が外向きになる必要がある。このため、本実施例では、図２０〜図２２に示すように、マイクロフォン・ユニット２０３０の受音面２０３１は、外耳道挿入部２０２０とは反対側の本体部２０１０の背面側で外界に接している。
【００７５】
また、本体部２０１０の背面から少しでもはみ出すように遮蔽部２０１１を設置する。この遮蔽部２０１１は、受音面２０３１と面一になる必要がある。これによって、外界からの騒音を遮蔽する効果を高めることができる。逆に、遮蔽部２０１１による音の遮蔽が不十分であると、外界からの騒音が外耳道１００で共鳴し、さらに反射して受音面２０３１に入力される音が乱れ、正確な頭部伝達関数を測定できなくなってしまう。遮蔽部２０１１は、外耳道入口１０１よりも大きなサイズを有しており、小型の挿耳装置２０００が必要以上に外耳道１００の奥深くに入り込んでいかないようにするストッパーとしての役割もある。
【００７６】
一方、ドライバー・ユニット２０４０は、外耳道挿入部２０２０の先端部に配設されている。ドライバー・ユニット２０４０は、マグネットと、ボイス・コイルと、振動板で構成され、マグネットにより構成された磁気回路中に、ボイス・コイルを有した振動板が配置されている。ボイス・コイルに入力された音声信号に従って発生する磁界により振動板を駆動して、振動板の前方の空気に対して粗密状態を変化させることによって、音声信号に応じた音を出力する。
【００７７】
図示のように、外耳道挿入部２０２０の先端の、鼓膜１０２のより近くにドライバー・ユニット２０４０を配置できることから、より小さな出力（すなわち、低消費電力）で、高音質の音声を提供することができる。外耳道挿入部２０２０を音導管にする必要はないが、図２０及び図２２に示すように、ドライバー・ユニット２０４０の後方の外耳道挿入部２０２０並びに本体部２０１０に空洞を設けて、バック・キャビティーの容量を大きくすることで、より音質を高めることができる。
【００７８】
また、図２０並びに図２２に示すように、本体部２０１０と外耳道挿入部２０２０は、隔離部２０４１を介して連結されている。隔離部２０４１は、例えば樹脂や真鍮、鉛など音響インピーダンスが異なる素材で構成され、マイクロフォン・ユニット２０３０とドライバー・ユニット２０４０間での音の伝搬を遮るようになっている。
【００７９】
マイクロフォン・ユニット２０３０で収音された音声信号を外部に伝送するとともに、外部の音声再生装置（図示しない）からの音声信号をドライバー・ユニット２０４０へ伝送するケーブル２０３２は、シールド・ケーブルとなっている。図２２に示すように、ケーブル２０３２は、受音面２０３１の逆側から本体部２０１０の内部又は本体部２０１０とマイクロフォン・ユニット２０３０の隙間を通って、遮蔽部２０１１に穿設された出入口穴２０１２を貫挿して、外耳道１００の外と行き来している。図２１に示すように、出入口穴２０１２は、受音面２０３１の中心を通過する水平線２０３３よりも下に配設することが好ましい。これにより、垂れ下がったケーブル２０３２が受音面２０３１に触れたりして、ケーブル２０３２の影響で受音面２０３１に入力される音が乱れる悪影響を防ぐことができる。
【００８０】
図２３及び図２４には、挿耳装置２０００の変形例を示している。但し、図２３は挿耳装置２０００をＸ−Ｙ平面から見た断面図、図２４は挿耳装置２０００をＹ−Ｚ平面から見た断面図を示している。便宜上、イヤ・ピースの図示を省略している。
【００８１】
この変形例に係る挿耳装置２０００は、図２３及び図２４から分かるように、ドライバー・ユニット２０４０は、マイクロフォン・ユニット２０３０とともに、本体部２０１０に組み込まれている。挿耳装置２０００を人間の耳に装着したとき、収音する受音面２０３１が外向きになる必要がある。このため、外耳道１００の内側から、ドライバー・ユニット２０４０、マイクロフォン・ユニット２０３０の順に配置され、且つ、マイクロフォン・ユニット２０３０の受音面２０３１が本体部２０１０の背面側で外界に接するようにしている。また、外耳道挿入部２０２０は、中空円筒状の部材で、音導管を兼ねており、ドライバー・ユニット２０４０から出力される音声を外耳道１００の第２カーブ１０４の手前まで導出する。
【００８２】
また、マイクロフォン・ユニット２０３０とドライバー・ユニット２０４０は、隔離部２０４１を介して連結されている。隔離部２０４１は、例えば樹脂や真鍮、鉛など音響インピーダンスが異なる素材で構成され、マイクロフォン・ユニット２０３０とドライバー・ユニット２０４０間での音の伝搬を遮るようになっている。
【００８３】
本実施例に係る挿耳装置２０００は、バイノーラル・マイクロフォンとイヤホンの両方の機能を備えている。加えて、バイノーラル・マイクロフォンとイヤホンの機能を共存させることで、以下の効果を得ることができる。
【００８４】
（１）マイクロフォンが外耳道入口１０１付近に存在するため、鼓膜１０２に届く音との誤差が極めて小さくなり、ノイズ・キャンセリング・ヘッドホンのキャンセリング効果を高めることができる。
（２）バイノーラル録音をしながらモニタリングすることができる。例えば、ライブ会場などで高精度のバイノーラル録音をしながら、演奏を楽しむことができる。
【先行技術文献】
【特許文献】
【００８５】
【特許文献１】特開２００７−１８９４６８号公報
【特許文献２】特開２０１３−４２２１８号公報
【非特許文献】
【００８６】
【非特許文献１】Ｋｌａｕｓ  Ａ  Ｊ  Ｒｉｅｄｅｒｅｒ著“Ｐａｒｔ  ＩＶａ：  Ｅｆｆｅｃｔ  ｏｆ  Ｃａｖｕｍ  Ｃｏｎｃｈａｅ  Ｂｌｏｃｋａｇｅｏｎ  Ｈｕｍａｎ．  Ｈｅａｄ−Ｒｅｌａｔｅｄ  Ｔｒａｎｓｆｅｒ  Ｆｕｎｃｔｉｏｎｓ”（１８ｔｈ  Ｉｔｅｒｎ．  Ｃｏｎｇｒｅｓｓ  ｏｎ  Ａｃｏｕｓｔｉｃｓ．Ｋｙｏｔｏ，Ｊａｐａｎ，ｐｐ．７８７−７９０，２００４）
【産業上の利用可能性】
【００８７】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。
【００８８】
本明細書では、本明細書で開示する技術をバイノーラル・マイクやイヤホンに適用した実施形態を中心に説明してきたが、本明細書で開示する技術の要旨はこれに限定されるものではない。例えば、補聴器や耳式体温計など挿耳型のさまざまな装置に同様に本明細書で開示する技術を適用することができる。
【００８９】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。
【００９０】
なお、本明細書の開示の技術は、以下のような構成をとることも可能である。
（１）外耳道の第１カーブより内部に挿入され、耳甲介腔とほぼ同じ面となる背面を有する本体部と、
前記本体部の前面から外耳道の奥に向かって突設した外耳道挿入部と、
を具備する挿耳装置。
（２）前記外耳道挿入部は、前記本体部の前面中心又は前面中心から前方にオフセットした位置に配設される、
上記（１）に記載の挿耳装置。
（３）前記外耳道挿入部は、前記本体部の中心線に対し所定の傾斜角度だけ後方に傾斜して配設される、
上記（２）に記載の挿耳装置。
（４）前記外耳道挿入部に取り付けられたイヤ・ピースをさらに備える、
上記（３）に記載の挿耳装置。
（５）前記イヤ・ピースの端面は、前記所定の傾斜角度に応じて、前記本体部の前面と平行となるように斜めにカットされている、
上記（４）に記載の挿耳装置。
（６）前記本体部内に、マイクロフォン・ユニットを備える、
上記（１）乃至（５）のいずれかに記載の挿耳装置。
（７）前記マイクロフォン・ユニットの受音面は、前記本体部の背面側で外界に接している、
上記（６）に記載の挿耳装置。
（８）前記本体部の背面から少なくとも一部がはみ出る遮蔽部をさらに備える、
上記（７）に記載の挿耳装置。
（９）前記遮蔽部は、前記受音部と面一となる、
上記（８）に記載の挿耳装置。
（１０）前記マイクロフォン・ユニットで収音された音声信号を外部に伝送するケーブルが、前記受音面の逆側から前記本体部の内部又は前記本体部と前記マイクロフォン・ユニットの隙間を通って、前記遮蔽部に穿設された出口穴を貫挿して外耳道の外に排出される、
上記（８）又は（９）のいずれかに記載の挿耳装置。
（１１）前記出口穴は、前記受音面の中心を通過する水平線よりも下に配設される、
上記（１０）に記載の挿耳装置。
（１２）前記本体部内に、ドライバー・ユニットを備え、
前記外耳道挿入部は、音導管を有する、
上記（１）乃至（５）のいずれかに記載の挿耳装置。
（１３）前記本体部の背面から少なくとも一部がはみ出るストッパーをさらに備える、
上記（１２）に記載の挿耳装置。
（１３−１）前記本体部の背面に取っ手をさらに備える、
上記（１２）又は（１３）のいずれかに記載の挿耳装置。
（１４）前記外耳道挿入部に、ドライバー・ユニットを備える、
上記（１）乃至（５）のいずれかに記載の挿耳装置。
（１４−１）前記ドライバー・ユニットは、前記外耳道挿入部の先端に取り付けられ、
前記ドライバー・ユニットの後方には、前記外耳道挿入部を空洞にしたバック・キャビティーを有する、
上記（１４）に記載の挿耳装置。
（１５）マイクロフォン・ユニット及びドライバー・ユニットをさらに備える、
上記（１）乃至（５）のいずれかに記載の挿耳装置。
（１５−１）前記マイクロフォン・ユニットと前記ドライバー・ユニットの間に、音響インピーダンスの異なる素材からなる隔離部をさらに備える、
上記（１５）に記載の挿耳装置。
（１６）前記マイクロフォン・ユニットは前記本体部内に配設され、前記ドライバー・ユニットは前記外耳道挿入部の先端に配設される、
上記（１５）に記載の挿耳装置。
（１６−１）前記ドライバー・ユニットの後方には、前記外耳道挿入部を空洞にしたバック・キャビティーを有する、
上記（１６）に記載の挿耳装置。
（１７）前記本体部内には、外耳道の内側から順に、前記ドライバー・ユニット、前記マイクロフォン・ユニットが配置され、
前記外耳道挿入部は、音導管を有する、
上記（１５）に記載の挿耳装置。
（１８）前記マイクロフォン・ユニットの受音面は、前記本体部の背面側で外界に接している、
上記（１５）乃至（１７）のいずれかに記載の挿耳装置。
（１９）前記本体部の背面から少なくとも一部がはみ出る遮蔽部をさらに備える、
上記（１５）乃至（１８）のいずれかに記載の挿耳装置。
（２０）前記マイクロフォン・ユニットで収音された音声信号を外部に伝送し又は前記ドライバー・ユニットへ入力する音声信号を伝送するケーブルが、前記受音面の中心を通過する水平線よりも下に配設された出入口穴を介して挿通される、
上記（１５）乃至（１９）のいずれかに記載の挿耳装置。
【符号の説明】
【００９１】
３００…挿耳装置
３１０…本体部、３２０…外耳道挿入部、３２１…取付溝
６００…イヤ・ピース
８００…バイノーラル・マイクロフォン
８１０…本体部、８１１…遮音部、８１２…出口穴
８２０…外耳道挿入部、８３０…マイクロフォン・ユニット
８３１…受音面、８３２…ケーブル
１４００…イヤホン
１４１０…本体部、１４１１…ストッパー、１４１２…入口穴
１４２０…外耳道挿入部、
１４３０…ドライバー・ユニット、１４３２…ケーブル
１７０１…取っ手
２０００…挿耳装置
２０１０…本体部、２０１１…遮蔽部、２０２０…外耳道挿入部
２０３０…マイクロフォン・ユニット、２０３１…受音面
２０３２…ケーブル、２０４０…ドライバー・ユニット
２０４１…隔離部、２５００…イヤ・ピース
【図１】
2019057953.tif 000003
【図２】
2019057953.tif 000004
【図３】
2019057953.tif 000005
【図４】
2019057953.tif 000006
【図５】
2019057953.tif 000007
【図６】
2019057953.tif 000008
【図７】
2019057953.tif 000009
【図８】
2019057953.tif 000010
【図９】
2019057953.tif 000011
【図１０】
2019057953.tif 000012
【図１１】
2019057953.tif 000013
【図１２】
2019057953.tif 000014
【図１３】
2019057953.tif 000015
【図１４】
2019057953.tif 000016
【図１５】
2019057953.tif 000017
【図１６】
2019057953.tif 000018
【図１７】
2019057953.tif 000019
【図１８】
2019057953.tif 000020
【図１９】
2019057953.tif 000021
【図２０】
2019057953.tif 000022
【図２１】
2019057953.tif 000023
【図２２】
2019057953.tif 000024
【図２３】
2019057953.tif 000025
【図２４】
2019057953.tif 000026
【図２５】
2019057953.tif 000027